(57)【特許請求の範囲】
【請求項１】
被処理物から発生する粉塵を吸引できる広さを有する吸引口をもち該吸引口を先方に向けて作業台の手前側に取付けた吸引マウス本体と、該吸引マウス本体の上面に回動自在に取付けられて先方へ伸びる中空透明フードと、該中空透明フードの全周端部下面位置から下向きの空気を吹出す吹出口と、前記中空透明フードを介して該吹出口に空気を供給する送気管とを備え、
前記中空透明フード越しに非処理物を見ながら手作業可能としたことを特徴とする歯科技工用集塵装置。
【請求項２】
被処理物から発生する粉塵を吸引できる広さを有する吸引口をもち該吸引口を先方に向けて作業台の手前側に取付けた吸引マウス本体と、該吸引マウス本体の上面に回動自在に取付けられて先方へ伸びる透明フードと、該透明フードの全周縁下面に沿って設けられた吹出管とを備え、
前記吹出管の下面に管長方向のスリット状の空気を吹き出す吹出口と、前記透明フードを介して該吹出口に空気を供給する送気管とを有しており、
前記透明フード越しに非処理物を見ながら手作業可能としたことを特徴とする歯科技工用集塵装置。
【発明の詳細な説明】
【０００１】
【発明の属する技術分野】
本発明は、歯科技工手、歯科学生等が歯型、義歯等を研削加工する際に使用する集塵装置に関する。
【０００２】
【従来の技術】
歯科材料には、石膏、プラスチック、セラミック、金属等があり、これらで作られた歯型、義歯等を研削加工をすると、その材料が粉塵となって飛散して作業環境が著しく悪化し、且つ非衛生である。このため該粉塵の飛散を防止すると共に収集する装置が考案されている（例えば実開平６−４１７１１号公報）。
【０００３】
前記従来技術においては、作業空間を本体カバーで囲むようにされており、該本体カバーは、基台、天板及び該基台と天板を後部側で接続する後面板よりなるものである。そして、前記後面板は、中央に吸気管が接続され、両側に前方へ突出する張出部が設けられており、天板には、前端に基台側を向く空気の吹出口が設けられている。また、天板と基台の前端に渡って透明の開閉自在カバーが設けられている。
【０００４】
このような従来技術においては、本体カバー、吸気管、吹出口等が一体の装置として組付けられているので、嵩張ると共に、高価になる不都合がある。また、後面板には前方へ突出する張出部があるため、吸気のガイドにはなるが手作業の邪魔になる不都合がある。
【０００５】
【発明が解決しようとする課題】
本発明は、歯科技工用の収塵装置として従来知られている吸引マウスを利用して、集塵作用が大で作業し易く、且つ動力消費量が少ない装置を得ることを課題とする。
【０００６】
【課題を解決するための手段】
前記課題を解決するための手段の一つは、請求項１に記載したとおり、被処理物から発生する粉塵を吸引できる広さを有する吸引口をもち該吸引口を先方に向けて作業台の手前側に取付けた吸引マウス本体と、該吸引マウス本体の上面に回動自在に取付けられて先方へ伸びる中空透明フードと、該中空透明フードの全周端部下面位置から下向きの空気を吹出す吹出口と、前記中空透明フードを介して該吹出口に空気を供給する送気管とを備え、
前記中空透明フード越しに非処理物を見ながら手作業可能としたことを特徴とするものであり、作業者は、マウス本体側に居て、被処理物を透明フード越しに見ながら作業をする。この場合、両手の動きを阻害するものは少なく、またフードとして透明体が用いられているので視野を遮るものも少ない。
【０００７】
また、他の解決手段は、請求項２に記載したとおり、被処理物から発生する粉塵を吸引できる広さを有する吸引口をもち該吸引口を先方に向けて作業台の手前側に取付けた吸引マウス本体と、該吸引マウス本体の上面に回動自在に取付けられて先方へ伸びる透明フードと、該透明フードの全周縁下面に沿って設けられた吹出管とを備え、前記吹出管の下面に管長方向のスリット状の空気を吹き出す吹出口と、前記透明フードを介して該吹出口に空気を供給する送気管とを有しており、前記透明フード越しに非処理物を見ながら手作業可能としたことを特徴とするものであり、作業者は、請求項１の場合と同様に作業をすることができる。
【０００８】
【発明の実施の形態】
以下、図面を参照して発明の実施の形態を説明する。
【０００９】
図１，２において１は本発明の集塵装置の一例を示し、２は作業台、３は吸引マウス本体で、該吸引マウス本体３は、従来歯科技工業界において周知のもので、プラスチック材により略漏斗状に形成され、広い吸引口３1を有する。そして、作業台２の手前側２1すなわち作業者側に適宜の固定手段４で吸引口３1を先方に向けて取付けられる。
【００１０】
吸引マウス３の下端には可撓性又は半硬質の吸引ホース５が接続され、更に除塵部を介して吸引装置に接続されている。なお、前記固定手段４は、吸引ホース５に設けられてもよい。
【００１１】
吸引マウス本体３の上面には、透明のプラスチック材からなり、浅いコ字形断面をもつ透明フード６が、先方を向けてピン又はねじの如き固定部材７で上下に回動できるように取付けられている。
【００１２】
透明フード６の端部６1の下部付近の作業台２上には、左右方向に伸びる空気供給室８が設置され、その上面に長い吹出口９が開設され、該吹出口９は、透明フード６の端部６1側の下面を指向している。該空気供給室８は、先方が凸の円弧状又は逆Ｕ字状にして吹出空気が透明フード６の全周囲下面に集まるようにすることが好ましい。そして、送気ホース１０は図外の送気装置に接続されている。
【００１３】
この集塵装置１は、吸引ホース５で空気を吸引口３1から吸気マウス本体３内に吸込み、同時に全周の吹出口９から吹出空気Ａ1を０．５ｍ／ｓ程度の速度で放出してエアーカーテンを形成しながら使用し、作業者は吸気マウスの背面側に座り、透明フード６の下方の作業空間１１に図２に示すように両側から手を入れて歯科材料で作られたワークＷを加工する。作業空間１１内では、吸込気流がＢ1，Ｂ2，Ｂ3に示すように広範囲に生じ、作業空間１１内で発生した微粉は、空気と共に吸引マウス本体３内に吸込まれ、吸引ホース５を経て図外の除塵部へ送られて分離される。
【００１４】
吹出口９から出る吹出空気の速度が過大であると粉塵を巻上げる作用が生じ、狭い作業空間１１内では換気作用が不均等になり、部分的に粉塵が滞流し易いので、前記の程度の速度で吹出させることが好ましい。
【００１５】
この集塵装置１において、作業空間１１近傍には空気供給室８と吸引マウス本体２があるだけであり、該吸引マウス本体２は、吸気のために必要最小限の大きさを有するものであるから、作業空間１１内で作業の邪魔になるものがないに等しく、これに加えて吸引マウス本体３が透明であるから作業が容易にできる利点がある。
【００１６】
図３に示す実施形態では、集塵装置１における吸引マウス本体３と透明フード６の構成は、図１，２のものと同じであるが、空気供給室８の配置が異なる。この実施形態において、空気供給室８は、作業台２の内部に埋込まれ、吹出口９が作業台２の上面に開口している。
【００１７】
このような形態にすることにより、吹出口９を吸引マウス本体３の近くまで設けた構成にしても、作業台２の上面は、スリット状の吹出口９が開口するだけで略平坦であるから作業がし易く、この場合、手元側の吹出口９から出る空気で形成されるエアカーテンによって、作業者側へ洩れようとする粉塵が有効に防止される。
【００１８】
更に、図４に実施形態では、前記透明フード６に代えて中空透明フード１２を用いてその先端下面の吹出口１２1から吹出空気Ａ2を下向きに放出させてエアカーテンを形成する。１３は送気ホースである。
【００１９】
図５の実施形態では、透明フード６の周縁下面に沿う吹出管１４が設けられ、これに送気ホース１５が接続されている。
【００２０】
そして、吹出管１４の下面には管長方向のスリット状の吹出口１４1が設けられており、図４の吹出空気Ａ2と同じ態様の下向きの気流によるエアカーテンを形成し、その後作業空間内を流れて吸引マウス本体３内に吸込まれる。
【００２１】
本発明においては、吹出口９，１２1，１４1等から出る吹出空気によりエアーカーテンを形成するので、吸引マウス本体３の空気吸入量を半減させても充分な集塵作用を行なわせることができ、ポンプの性質上、吸入空気量の半減により動力消費量は８分の１に低下する。実験によれば、エアカーテン用の動力消費を加算しても、吸引マウス本体のみで集塵使用する場合に比べて動力消費量は少なくてすみ、しかも粉塵の洩れは殆ど防止される。
【００２２】
特に、歯科技工学校、歯科大学等の教室では集塵装置の設置台数が多く、大規模校では４００台余り設置されているところもあり、これらが一斉に使用されるときの動力消費量は莫大であるから、本発明の装置を使用することにより動力消費は大幅に節減される。
【００２３】
しかも、吸引空気量を半減できるということは、教室内に流入する空気量を半減できることであり、該教室が空調されている場合は、新たに空調すべき空気量も半減することになるから、空調用動力も節減できる利益が生じる。
【００２４】
【発明の効果】
以上の説明から明らかなように、請求項１の発明によれば、吸引マウス本体に透明フードを回動自在に取付けて作業台に固定したものと、中空透明フードの全周端部下面位置から下向きの空気を吹き出してエアカーテンを形成する空気の吹出口をもつ空気供給室とを備えるだけであるから、構成が簡単で安価に作ることができる。しかも、作業の邪魔になる部分は、実質上吸引マウス本体のみであるが、該吸引マウス本体は、空気を吸引するための必要最小限の大きさをもつものであるから、装置全体が極めて小型になり、中空透明フードを回動して高さを調節できるから作業し易い効果がある。
【００２５】
また、請求項２の発明によれば、エアカーテンを形成するための空気吹出口が透明フードの全周縁下面に沿って設けられるから、作業台に空気供給室を設ける必要がなく、構成は請求項１のものよりも簡単、小型になる利点がある。
【００２６】
更に、請求項１，２の発明においては、吸引空気量を半減しても粉塵の飛散がないから、集塵用、空調用のエネルギを大幅に節減できる利益が生じる。
【図面の簡単な説明】
【図１】  本発明の実施形態の一つを示す側面図
【図２】  同上作業状態の斜視図
【図３】  空気供給室の位置を変えた実施形態の側面図
【図４】  他の実施形態の側面図
【図５】  更に他の実施形態の斜視図
【符号の説明】
２  作業台                      ３   吸引マウス本体
５  吸引ホース                  ６   透明フード
８  空気供給室      ９，１２1，１４1 吹出口
１２  透明２重フード             １４  吹出管
【図１】
0003739469.tif 000002
【図２】
0003739469.tif 000003
【図３】
0003739469.tif 000004
【図４】
0003739469.tif 000005
【図５】
0003739469.tif 000006